(57)【要約】【課題】作業現場以外の場所でも使用に違和感のないファッショナブルなファン付上着を提供する。【解決手段】ファン付上着１は、下部に空気取り込み口６が開口した後身頃３と、内側から襟５の左右の間隔を短縮して襟５を弛ませる首当帯７とを有し、空気取り込み口６に取り付けられたファン１５を用いて空気を取り込み、襟５と首当帯７の間を排出させる。首当帯７の端部は、夫々両肩に固着されている。後身頃３の背骨に相当する中央位置を挟み、首当帯７の長さ方向の両端に雌雄の関係で係合可能な係合部１０が夫々設けられており、係合部１０を係合することにより首当帯７の長さを短縮する。【選択図】  図１
2019094599.tif 000002
【特許請求の範囲】
【請求項１】
下部に空気取り込み口が開口した後身頃と、内側から左右の間隔を短縮して襟を弛ませる首当帯とを有し、前記空気取り込み口に取り付けられたファンを用いて空気を取り込み、前記襟と首当帯の間を利用して排出させるファン付上着において、
前記首当帯の端部は、夫々両肩に固着され、
前記後身頃の背骨に相当する中央位置を挟み、前記首当帯の長さ方向の両端に雌雄の関係で係合可能な係合部が夫々設けられており、前記係合部を係合することにより当該首当帯の長さを短縮することを特徴とするファン付上着。
【請求項２】
請求項１のファン付上着において、前記両端の係合部は、前記中央位置を挟み対称位置に設けられることを特徴とするファン付上着。
【発明の詳細な説明】
【技術分野】
【０００１】
本発明は、外部からファンにより衣服内に空気を取り込み、身体を冷却するファン付上着に関するものである。
【背景技術】
【０００２】
夏場の暑い作業現場であっても、ケガや虫刺され、日焼けの予防の為に長袖の作業服が着用されている。長袖の作業服は熱が籠もりやすく、作業員を保護する熱中症対策の一つとして最近はファン付上着が利用されている。ファン付上着は、バッテリにより駆動されるファンを利用して能動的に外気を上着内に取り込み、上半身を冷却する。ファンは、上着の後身頃の腰付近に設けられた開口、若しくは、背中の裾部の位置に脱着自在に取付けられており、取り込まれた外気は首回りの襟口、若しくは袖口から排出され、身体を冷却する。例えば、特許文献１によれば、首回りの襟口に大きな排出口を設ける機構として、襟近辺に首当帯を設けている。首当帯の端部は、夫々両肩に固着され、首当帯の長さ方向に間隔を開けて雌雄の関係で係合可能な係合部が設けられており、係合部を係合することにより当該首当帯の長さを短縮して襟を弛ませる。その結果、襟と首当帯の間隔が開く。この開いた間隔により排出口が形成される。首当帯により襟を短縮させた状態で、首当帯が着用者の首に接すると、襟と首当帯との間に排出口が確保され、この排出口を利用して背中から上に向かって流れた空気を排出する。
【０００３】
しかしながら、特許文献１の首当帯の係合部は中央に設けられており、係合部を係合すると、首当帯の中央にあるブランドネームの位置にしわができ、見た目がよくない。
【先行技術文献】
【特許文献】
【０００４】
【特許文献１】特許第６１７８５２５号公報
【発明の概要】
【発明が解決しようとする課題】
【０００５】
発明者らは、夏場の暑い炎天下の作業現場のみではなく、あらゆるシーン、例えば、近年の省エネ対応の冷房化の作業環境にあってもファン付上着の需要があると予想している。現状のファン付上着は、ファンが作動すると、風船のように大きく膨れる。空気が行き渡るように排出口を首回りの襟口、袖口に限定し、かつ途中で空気が漏れないようにポリエステル等の機密性の高い素材を用いて襟口、袖口に到る空気の経路を確保している。ファンによる冷却機能を効率良く機能させるには、空間を開けて上着内に取り込んだ空気が、抵抗少なく大量の空気を流すのである。逆に大きくふくれて、上半身だけが太って見えてしまうため、専らファッションよりも、熱中症対策というそもそもの機能が重視されているのが現状である。
【０００６】
本発明は、風船のように大きく膨れかっこよくないと言われるファン付上着の概念を変え、夏場の暑い作業現場だけではなく、若者があらゆる場所で着ても違和感のないデザイン性の高いファン付上着を提供することを目的とする。
【課題を解決するための手段】
【０００７】
上記目的を達成するために、本発明のファン付上着は、下部に空気取り込み口が開口した後身頃と、内側から左右の間隔を短縮して襟を弛ませる首当帯とを有し、前記空気取り込み口に取り付けられたファンを用いて空気を取り込み、前記襟と首当帯の間を利用して排出させるファン付上着において、前記首当帯の端部は、夫々両肩に固着され、前記後身頃の背骨に相当する中央位置を挟み、前記首当帯の長さ方向の両端に雌雄の関係で係合可能な係合部が夫々設けられており、前記係合部を係合することにより当該首当帯の長さを短縮することを特徴とするファン付上着。
【発明の効果】
【０００８】
この発明によれば、ファン付上着をハンガーに掛けた際、また、折り畳んだ際に、前襟からのぞける位置に設けられる首当帯は服の形態の一部として取り込まれ、襟に排出口を形成させる使用していないシーンでも、ファン付上着のデザイン性を損なうことが無い。
また、２カ所の係合部は首当帯の両端にあり、係合部を係合した場合であっても中央にあるブランドネームの位置にしわが寄ることはなく、見た目を損なうことがない。
【図面の簡単な説明】
【０００９】
【図１】実施例１のファン付上着を示した図であり、図１Ａは胸側、図１Ｂは背中側を示している。
【図２】実施例１のファン付上着の内側を示した図であり、図２Ａは展示状態の首当帯、図２Ｂはファン動作状態の首当帯の状態を示している。
【発明を実施するための形態】
【００１０】
本発明の形態においては、大きく膨れるファン付上着よりも、ファン付上着が本来有する清涼性を維持したままファッション性にこだわることにした。清涼性をもたらす背中から襟口にかけての空気の流れは、これを維持したまま、上着全体のファッション性を向上させるようにした。
【００１１】
襟に排出口を形成させる首当帯は、服の形態の一部として取り込むようにして、ファンを使用していないシーンでも、存在を意識させないようにした。首当帯が取り付けられる位置は、ファン付上着をハンガーに掛けた際、また、折り畳んだ際に、襟元から見える位置にある。この位置は、ブランドネームが取り付けられる位置であり、非着用時には、特に目立つ位置である。
【００１２】
ファン付上着１は、前身頃２、後身頃３、袖部４、襟５を有し、前身頃２は前面を開閉できるファスナーが備えられている。後身頃３の下部の左右には、ファン１５を取り付ける空気取り込み口６が開口されている（図では２箇所）。ファン付上着１は、ファン１５を用いて、衣服内に空気を流通させることにより、身体を冷却する。ファン１５より取り込まれた外部の空気は、衣服内側を介して襟口、袖口より排出される。
【００１３】
ファン付上着１の前身頃２、後身頃３或いは生地の全ては、ヘリンボーン柄の織物地を使用する。ファン付上着１の生地の全部で無くとも、少なくとも、後身頃３の内側はヘリンボーン柄の織物地とする。ヘリンボーン柄を構成する各山型模様の頂上は上に向けられたテクスチャＴＸとなっている。ファン付上着１の下部のファン１５から送り出された空気は、ヘリンボーン柄を構成する各山型模様の頂上に向かって上部に流れやすくなっており、ファン付上着１の膨大を抑止できる。前身頃２、後身頃３を両方ともヘリンボーン柄にすれば、ヘリンボーン柄の生地の厚みにより、より膨大しづらくすることができる。ファン付上着１の生地の全部にヘリンボーン柄の織物を用いれば、全体として高級感がある上着にすることができる。
【００１４】
ファン付上着１の背中の内側は、さらに、後身頃３と裏地１２により構成されている。一般的に裏地１２を設けることで、ファン付上着１に対してフォーマル感、高級感が付与される。また、さらに、裏地１２には、後身頃３の背骨に相当する中心位置（頸椎と胸椎の境目あたり）に社名ロゴ（ブランドネームタグＴ）を縫着することにより、裏地１２を背景として襟元に社名ロゴが良く映える。裏地１２は、大部分がメッシュ１６で構成され、上辺Ｐに沿って首当帯７が縫着されている。首当帯７の縫着箇所は、上辺Ｐに近い方が良いが、必ずしも上辺Ｐに重なっていなくても良い。また、首当帯７は伸縮しにくい帯体である。裏地１２は、左右端Ｑ、Ｑ（首当帯７の両端及びメッシュ１６の両端から構成される）が左右肩に縫い付けられている。また、首当帯７の両端は襟５の下側近辺の左右において後身頃３に固定されている。裏地１２は、後身頃３の全体を覆う必要は無く、正面襟元から見える程度で良い。後述するように、空気が後身頃３と裏地１２の間を流れるからである。上辺Ｐは後身頃３から分離状態にある。首当帯７の長さ方向の両端の２カ所に間隔を開けて、ボタン８とボタンホール９からなる雌雄の係合部１０が設けられている。係合部１０は、接合強度が確保されるのであれば、雌雄のスナップボタンでも良い。両端の２カ所は、中心位置（頸椎と胸椎の境目あたり）を挟んで対称位置に設けることにより、シンメトリーをデザインに取り入れることができる。また、係合部１０を係合した状態でハンガーにより商品展示しても、前身頃２の胸元からシワが隠されるため見栄えが良く、かつ社名ロゴもシワで隠れてしまうこともない。さらに、係合部１０を構成するボタン８とボタンホール９も、図示のように、ボタン８とボタンホール９の順又は逆の順に中心位置から離れる左右対称にすれば、係合部１０の係合を解いた状態でもシンメトリー性が向上してさらに好ましい。
【００１５】
首当帯７は、襟５の襟台５ａと略並行に配置されている。この状態で、ファン付上着１は商品展示され、若しくはハンガーに吊されて保管される。この状態下で襟元から覗けるのは、主に裏地１２である。裏地１２の一部としての首当帯７は、襟台５ａと略並行に見えるだけであり、裏地１２の意匠の中に違和感無く入り込んでいる。結局、裏地１２が見えることになり、ファン付上着１に対する高級感を付加している。
【００１６】
ファン付上着１にファン１５を装着して使用する場合には、２カ所の係合部１０を係合して、首当帯７の長さを短縮して、襟５を弛ませ、かつ首当帯７が着用者の首の後ろに当接することにより、襟５と首当帯７との間に排出口を確保する。２カ所の係合部１０は首当帯７の両端にあり、中央にあるブランドネームの位置にしわも見えないため、見た目を損なうことがない。ファン付上着１の下部のファン１５から送り出された空気は、ヘリンボーン柄の山型の凹部に沿って上部に流れ、ファン付上着１内の熱とともに後身頃３と裏地１２の間を経て排出口から排出される。
本実施例では、後身頃３にヘリンボーン柄の織物地を使用したが、前身頃２、袖部４にヘリンボーン柄の織物地を採用しても良い。その場合、襟口、袖口へ流れる空気の流れが改善される。
また、本実施例では、裏地１２に首当帯７を縫着したが、裏地１２に縫着せずに首当帯７のみとして、首当帯７の両端を左右肩に縫い付けても良い。この場合、高級感は低下する。
また、ヘリンボーン柄の織物地を用いたが、他の生地を用いても良い。
【符号の説明】
【００１７】
１    ファン付上着
２    前身頃
３    後身頃
４    袖部
５    襟
６    空気取り込み口
７    首当帯
８    ボタン
９    ボタンホール
１０  係合部
１２  裏地
１５  ファン
【図１】
2019094599.tif 000003
【図２】
2019094599.tif 000004